(57)【要約】【課題】はたけしめじ、ぶなしめじ、ほんしめじあるいはひらたけ等の株状きのこを、株化状態のまま、商品形態を損なうことなく、品質を維持して包装・販売に供するようになしたきのこ用包装容器を提供すること。【解決手段】底壁２と、前記底壁の周囲から上方向に向けてのびる周囲側壁３とを有し、前記周囲側壁の上縁側４において容器開口部を形成する箱形状の包装容器であって、前記周囲側壁の上縁側に、上方に向けて延出する少なくとも二つの延長側壁部６、６を設けてなり、前記延長側壁間に、拡張された収容空間７を形成してなることを特徴とするきのこ用包装容器。【選択図】図１
2006240698.tif 000002
【特許請求の範囲】
【請求項１】
底壁と、前記底壁の周囲から上方向に向けてのびる周囲側壁とを有し、前記周囲側壁の上縁側において容器開口部を形成する箱形状の包装容器であって、前記周囲側壁の上縁側に、上方に向けて延出する少なくとも二つの延長側壁部を設けてなり、前記延長側壁間に、拡張された収容空間を形成してなることを特徴とするきのこ用包装容器。
【請求項２】
前記周囲側壁が、上拡がりに傾斜する傾斜壁によって形成されており、前記底壁側の平面視面域が最も狭められたものからなることを特徴とする請求項１に記載のきのこ用包装容器。
【請求項３】
前記周囲側壁の横断面形状が、多角形形状、円形形状あるいは楕円形形状ものからなることを特徴とする請求項１あるいは請求項２に記載のきのこ用包装容器。
【請求項４】
前記延長側壁部の上縁を外側下方に延出して外側垂下側壁を形成してなることを特徴とする請求項１〜請求項３に記載のきのこ用包装容器。
【発明の詳細な説明】
【技術分野】
【０００１】
この発明は、株化した状態で採集できる、例えば、はたけしめじ、ぶなしめじ、ほんしめじ、まいたけ、なめこ、あるいはひらたけ等の株状きのこを、株化状態のまま、商品形態を損なうことなく、品質を維持して包装・販売に供するようになしたきのこ用包装容器に関するものである。
【背景技術】
【０００２】
周知のように、例えば、はたけしめじ、ぶなしめじ、ほんしめじあるいはひらたけ等のような株状きのこは、株化したままの状態で収穫され、そのままの状態、もしくは株を数個に分割して包装され、店頭などで展示販売されている。この種の株状きのこは、株の石突のある下方から上方に向かって扇状に広がる形状をしており、傘部の方が石突部よりもはるかに大きく、例えば、はたけしめじ、ぶなしめじ、ほんしめじ等のように、傘が大型化したものでは、その比率（きのこの株の下方と上方の嵩の比率）が極めて顕著であり、運搬の際などの物理的衝撃によって、特に、傘がこわれやすくなる。このように、株状きのこを株化したままの状態、もしくは株を数個に分割して包装し、傘側の形状形態を損なうことなく、見栄えよく包装するためには、種々の工夫が必要であり、従来は、特許文献１あるいは特許文献２に記載されているような包装容器が開発され、提供されてきている。
【０００３】
この特許文献１に記載のきのこ用包装容器は、包装時に、きのこの傘側が、容器上部の開口縁に噛み込みが生じないように、且つ、きのこの軸が見え易く、安定して積み重ね可能にすることを目的とするものであり、容器本体の向かい合う一対の側壁に高低差を設け、高い方の側壁の上端と底部との間に、容器本体の内側に膨出して底部に対する傾斜面を有する傾斜支持部を形成したものからなっている。この特許文献１に記載のきのこ用包装容器は、きのこの軸が良く見えるように株状きのこを傾斜状に寝かせて包装し、店頭等において展示販売を可能にしたものである。
【０００４】
このように、株状きのこを傾斜状に寝かせて包装するタイプの包装容器は、容器上部の開口部が比較的大きくなってしまうものであり、容器内に株状きのこを収納した後、フィルムで包む際、フィルムが株状きのこに触れる量が多くなってしまい、株状きのこの傘の形態を損ね、品質を維持することが困難であるという問題点を有している。
【０００５】
一方、特許文献２に記載の包装きのこは、シメジなどの株状発芽きのこを、効率良く包装することを目的とするものであって、きのこ２の上下寸法よりも深い深さの容器１に、きのこの石突を口部側にして収納し、口部を閉塞したので、容器への収納が容易であり、しかも包装形態が一定しているので運搬、展示に便利であるという作用効果を奏するというものである。
【０００６】
しかしながら、この特許文献２に記載の包装きのこは、きのこを容器内に収納する際、きのこの損傷を抑制できるものの、包装後、容器の底部が実質上、フィルム４によって構成されるものであり、容器内で株状きのこを定位置に確保することができず、搬送、展示販売時において、株状きのこの形態、品質維持が困難であるという問題点を有している。
【０００７】
【特許文献１】特開２００１−３１１６６号公報（要約、図１および図４）
【特許文献２】実開平６−３８９０号公報（要約、図１および図２）
【発明の開示】
【発明が解決しようとする課題】
【０００８】
そこで、この発明は、例えば、はたけしめじ、ぶなしめじ、ほんしめじ等のような株状きのこを、株状のままの形態、もしくは株を数個に分割して包装するための包装容器であって、比較的嵩の大きなきのこ傘部の形態を損ねることなく、品質を維持して、当該容器内に安定した状態で収納しておくことができ、さらに、容器開口部側からのきのこの見栄えの良いきのこ用包装容器を提供しようとするものである。
【課題を解決するための手段】
【０００９】
この発明は、上記する目的を達成するにあたって、請求項１に記載の発明は、底壁と、前記底壁の周囲から上方向に向けてのびる周囲側壁とを有し、前記周囲側壁の上縁側において容器開口部を形成する箱形状の包装容器であって、前記周囲側壁の上縁側に、上方に向けて延出する少なくとも二つの延長側壁部を設けてなり、前記延長側壁間に、拡張された収容空間を形成してなることを特徴とするきのこ用包装容器を構成するものである。
【００１０】
さらに、この発明において請求項２に記載の発明は、請求項１に記載のきのこ用包装容器であって、前記周囲側壁が、上拡がりに傾斜する傾斜壁によって形成されており、前記底壁側の平面視面域が最も狭められたものからなることを特徴とするものである。
【００１１】
さらに、この発明において請求項３に記載の発明は、請求項１あるいは請求項２に記載のきのこ用包装容器であって、前記周囲側壁の横断面形状が、多角形形状、円形形状あるいは楕円形形状ものからなることを特徴とするものである。
【００１２】
さらにまた、この発明において請求項４に記載の発明は、請求項１〜請求項３に記載のきのこ用包装容器であって、前記延長側壁部の上縁を外側下方に延出して外側垂下側壁を形成してなることを特徴とするものでもある。
【発明の効果】
【００１３】
この発明になるきのこ用包装容器によれば、まず第１に、底壁と、この底壁の周囲から上方向に向けてのびる周囲側壁とを有し、周囲側壁の上縁側において容器開口部を形成する箱形状の包装容器であって、周囲側壁の上縁側に、上方に向けて延出する互いに向かい合った少なくとも二つの延長側壁部を設けてなり、前記延長側壁間に、拡張された収容空間を形成したことにより、石突側の嵩に対して傘側の嵩が大きな比率でなる、はたけしめじ、ぶなしめじ、ほんしめじ、まいたけ、なめこ、やなぎまつたけ、ひらたけ、やまぶしたけ等の株状きのこを包装する容器として、傘側の形態を損なうことなく安定な状態で収納包装することができ、そのままで搬送し、容器開口部側からのきのこの見栄えもよいため、店頭などで展示販売に供し得る点において、極めて有効に作用するものといえる。
【発明を実施するための最良の形態】
【００１４】
以下、この発明になるきのこ用包装容器１について、図面に示す具体的な実施例に基づいて詳細に説明する。図１は、この発明になるきのこ用包装容器の具体的な実施例を示すものであり、図１Ａは、空状態の容器の外観形態を示す概略的な斜視図であり、図１Ｂは、株化したきのこを容器内部に収納した状態を示す概略的な斜視図である。図２は、当該きのこ用包装容器についての具体的な設計例を示す概略的な平面図であり、図３は、図２におけるＸ−Ｘ線に沿って断面にして矢示方向にみた概略的なＸ−Ｘ線断面図であり、図４は、図２におけるＹ−Ｙ線に沿って断面にして矢示方向にみた概略的なＹ−Ｙ線断面図である。図５Ａ〜図５Ｆは、この発明になるきのこ用包装容器１の異なる幾つかの実施例を示す概略的な平面図である。
【００１５】
この発明になるきのこ用包装容器１は、例えば、図１〜図４各図に示すように、ほぼ平面視正方形形状でなる底壁２に対して、その周囲から上方向に向けてのびる周囲側壁３とを有しており、周囲側壁３の上縁側４において容器開口部５を形成する箱形状の包装容器であって、さらに、このきのこ用包装容器１は、前記周囲側壁３の上縁側４に、上方に向けて延出する少なくとも二つの延長側壁部６、６を設けてなり、この延長側壁６、６によって、拡張された収容空間７を確保するように構成されている。この発明において、前記延長側壁６は、図５各図に示す具体的な実施例から明らかなように、例えば、周囲側壁３の上縁側４に、周方向に所望の間隔、好ましくは等間隔を隔てて形成されており、当該延長側壁６と延長側壁６との間に窓状空間部分１１が形成されるようになっている。さらにまた、このきのこ用包装容器１は、前記延長側壁６、６の上縁を外側下方に延出して外側垂下側壁８、８を形成してある。この外側垂下側壁８、８は、当該きのこ用包装容器１に対して、容器内部に株状きのこＭを収納した後、フィルムＦを被せた場合に、フィルムによって矢印Ｙの方向へ引っぱられ、相対する復元力によってフィルムにテンションを与え、きのこを保護する機能をもつ。
【００１６】
図に示す実施例において、きのこ用包装容器１における前記周囲側壁３は、上拡がりに傾斜する傾斜壁によって形成されており、前記底壁２側の平面視面域が最も狭められたものからなっている。ここで、底壁２と上縁部４の横断面の面積比としては、特に限定はないが、例えば、１：１．２〜１：４であり、好ましくは、１：１．５〜１：３．７であり、より好ましくは、１：１．７〜１：３．５の範囲に設定することができる。好ましい実施例によれば、ほぼ平面視正方形形状でなる底壁２の一辺の長さ寸法は、約５０〜１３０ｍｍ程度のものであり、特に、図２〜図４に示すものは、底壁２の一辺の長さ寸法を約６５ｍｍ程度に設計した例によるものであり、各部の寸法は、この寸法に基づいて対比的に設計されているものである。しかしながら、この発明は、上記する数値に限定されるものではない。
【００１７】
この発明になるきのこ用包装容器１の素材としては、特に限定はないが、プラスチック材を薄層（例えば、０．３ｍｍ程度）に成形したプラスチック成形品が例示され、好ましくはポリエチレンテレフタレート（ＰＥＴ）製、あるいは、ポリスチレン（ＰＳ）製のものからなっている。この発明の好ましい実施例において、前記きのこ用包装容器１は、透明のものであってもよいが、より好ましくは、着色透明、半透明あるいは不透明のものからなっている。この発明になるきのこ用包装容器１は、周囲側壁３の上縁側に少なくとも二つの延長側壁６、６を設けてあり、当該延長側壁を設けていない部分は、側部から内部を視察できる窓状に設計されている。したがって、当該きのこ用包装容器１を、半透明あるいは不透明のものによって形成した場合、フィルムＦを被せた際、上方から、さらにはこの窓状空間部分１１の側方から内部を透視することができ、収納されたきのこは、よりボリューム感があるように見える。
【００１８】
この発明の容器を使用したきのこのフィルムの包装方法としては、図４に示すようなピロー方式が特に好適であるが、前述した外側垂下側壁８、８の機能を利用できるようにオーバーラップ方式でフィルム包装した場合においても、公知の容器と比較して明らかに高いきのこの保護機能を有する。さらに、図２に示す実施例からも明らかなように、この発明になるきのこ用包装容器１は、その補強などを目的として、底壁２、側壁３および延長側壁部６、６には、リブ９が設けてあり、特に、底壁２に対しては、容器内側に向けて突出する平面視井桁状の凸条１０が設けてある。
【００１９】
さらに、この発明になるきのこ用包装容器１は、図５各図に示すような異なる幾つかの実施例を含むものからなっている。すなわち、この発明では、当該包装容器における周囲側壁３の横断面形状が、多角形形状、円形形状あるいは楕円形形状ものからなっている。これらの異なる実施例に応じて、前記周囲側壁３の上縁側に設けられる延長側壁６を変更することができる。例えば、図５Ｂに示すもののように横断面形状が正八角形形状のものによれば、前記延長側壁６を前記周囲側壁３に対して一つおきに、計四つの延長側壁６を設けたものであってもよい。さらに、図５ＥおよびＦに示すもののように横断面形状が円形形状のものによれば、前記延長側壁６を前記周囲側壁３に対して二つあるいは三つ設けておくこともできる。
【図面の簡単な説明】
【００２０】
【図１】図１は、この発明になるきのこ用包装容器の具体的な実施例を示すものであり、図１Ａは、空状態の容器の外観形態を示す概略的な斜視図であり、図１Ｂは、株化したきのこを容器内部に収納した状態を示す概略的な斜視図である。
【図２】図２は、当該きのこ用包装容器についての具体的な設計例を示す概略的な平面図である。
【図３】図３は、図２におけるＸ−Ｘ線に沿って断面にして矢示方向にみた概略的なＸ−Ｘ線断面図である。
【図４】図４は、図２におけるＹ−Ｙ線に沿って断面にして矢示方向にみた概略的なＹ−Ｙ線断面図である。
【図５】図５Ａ〜図５Ｆは、この発明になるきのこ用包装容器１の異なる幾つかの実施例を示す概略的な平面図である。
【符号の説明】
【００２１】
１  きのこ用包装容器
２  底壁
３  周囲側壁
４  上縁側
５  容器開口部
６  延長側壁部
７  収容空間
８  外側垂下側壁
９  リブ
１０  平面視井桁状の凸条
１１  窓状空間部分
Ｍ  株状きのこ
Ｆ  フィルム
【図１】
2006240698.tif 000003
【図２】
2006240698.tif 000004
【図３】
2006240698.tif 000005
【図４】
2006240698.tif 000006
【図５】
2006240698.tif 000007